(57)【要約】【課題】従来、結婚式のなれそめビデオや自分史ビデオ等プライベート用説明記録映像には、実写ビデオやスライド上映が用いられてきた。しかし写真や実写ビデオは、現存資料の有無や実物利用による表現上の制約、被撮影者の時間的負担等があり、これらが作品表現や完成度を制約する一因となっていた。一方、絵のアニメーション作成には、多数のコマ画像が必要だったり、高価で操作の難しいアニメーション作成用ソフトウェアが必要だった。そのため多大な費用や時間がかかり、低予算かつ短期間で作成するのが困難であった。【解決手段】似顔絵１から作成した静止画データ２に、プレゼンテーション用ソフトウェア３を用いて動きを与え、複数のページからなる電子紙芝居４を作成する。さらにそれをプロジェクター等表示装置５で、タイミングの調整等を行いながら上映する。【選択図】図１
2010182279.tif 000002
【特許請求の範囲】
【請求項１】
電子データ化した似顔絵キャラクター画像を使用し、その画像に非特許文献３記載のようなプレゼンテーション用ソフトウェアを用いてコンピュータディスプレイ上で動画効果を与えるとともに、それを含む複数のページから成る一連の物語または説明を構成し、新郎新婦のなれそめ紹介や自分史、社史といったプライベート用説明記録映像の作成および上映に用いる電子紙芝居またはアニメーション映像とすることを特徴とする作成方法および作成物。
【請求項２】
請求項１の作成方法および作成物において、電子データ化した似顔絵キャラクター画像を作成し使用するのに、実在のモデルをもとに筆記用具または描画可能な電子機器を使用して似顔絵を描く、もしくはモデルの写真に創作的加工を加えることによってキャラクター映像化することを特徴とする作成方法および作成物。
【請求項３】
請求項２の作成方法および作成物において、モデルの写真に創作的加工を加えてキャラクター映像化する際の方法として、人物の色や質感の変更、デフォルメ、頭身比率の変更、目鼻等顔パーツの変更、汗や涙など記号や絵の付加、のいずれかを用いることを特徴とする作成方法および作成物。
【発明の詳細な説明】
【技術分野】
【０００１】本発明は似顔絵を用いたプライベート用電子紙芝居等の作成方法および作成物に関する。
【背景技術】
【０００２】従来の似顔絵に関する技術には、似顔絵の表情作成を容易にするもの（例えば特許文献１参照）などがある。電子データとしての似顔絵をアニメーション化する技術には、似顔絵作成用コンピュータソフトウェア（例えば非特許文献１参照）などがある。またアニメーションによって物語映像を作成する技術には動画作成用ソフトウェア（例えば非特許文献２参照）などがある。また画像や文字等電子データに手軽に定型的なアニメーション効果を付加できる技術にはプレゼンテーション用ソフトウェア（例えば非特許文献３参照）などがある。
【先行技術文献】
【特許文献】
【０００３】
【特許文献１】特開２００４−１４５６２５号公報
【非特許文献】
【０００４】
【非特許文献１】「Ｗｉｉ取扱説明書機能編」Ｐ．１６〜似顔絵チャンネル／任天堂株式会社
【非特許文献２】「ＦＬＡＳＨアニメーション製作バイブル」／Ａ．ｅ．Ｓｕｃｋ著／Ｏｈｍｓｈａ発行
【非特許文献３】「できるＰｏｗｅｒＰｏｉｎｔ  ２００７  Ｗｉｎｄｏｗｓ  Ｖｉｓｔａ対応」／井上香緒里著／インプレスジャパン発行
【発明の概要】
【発明が解決しようとする課題】
【０００５】従来、結婚式の披露宴のなれそめ紹介ビデオや個人の自分史ビデオ等、プライベート用紹介記録映像には、実写撮影によるビデオ上映やスライド上映が主に用いられてきた。しかし、写真や実写ビデオを用いた場合、現存している写真やビデオ映像に表現素材が限られたり、写真しか使用できない場合は静止画ばかりで動的表現に乏しかったり、再現ビデオドラマ撮影のために新郎新婦に演技力や演技時間が必要だったりと、様々な制約や負担があった。これらの制約が作品の映像および物語表現上の自由度や完成度を制限する一因となっていた。【０００６】また、絵を用いたアニメーション作成には従来、一連の動きを再現するために多数のコマ画像を作成して連ねる必要があったり、非特許文献２記載のような高機能ではあるが操作が複雑で高価な動画作成用ソフトウェアを使用する必要があった。いずれも多大な費用や時間がかかってしまい、披露宴の余興等低予算で準備時間の限られた用途向けに作成するのが困難であった。【０００７】さらに、従来の似顔絵作成用ソフトウェアは、特許文献１および非特許文献１記載のように似顔絵自体の作成が機能の中心となっており、似顔絵を用いて使用者が一定の長さと自由度を持った物語や説明をアニメーション映像として作成することには不向きであった。
【課題を解決するための手段】
【０００８】これらの課題を解決するために本発明は、似顔絵キャラクター画像にアニメーション効果を加えた電子紙芝居を以下の方法で作成することをその手段とした。電子紙芝居とは、かつての紙芝居を画像電子データとして再現し、登場キャラクター等に単純なアニメーション効果を加えた簡易アニメーション映像を指す。【０００９】まず、上記電子紙芝居を作成する方法として、本発明は非特許文献２記載のような高価な動画作成用ソフトウェアではなく、非特許文献３記載のようなより安価なプレゼンテーション用ソフトウェアを使用することとした。プレゼンテーション用ソフトウェアの多くは動画作成用ソフトウェアより安価であり、比較的単純かつ定型的動きながら静止画像や文字データに手軽にアニメーション効果を付加する機能を有している。このプレゼンテーション用ソフトウェアを用いることで、課題解決の手段とした。【００１０】具体的な電子紙芝居作成の作業工程として、図２記載のような例を考案した。まず実物または写真をもとに手書きまたは写真を加工してモデルの似顔絵を作成し、電子データ化した似顔絵キャラクター画像を作成する。それをプレゼンテーション用ソフトウェアに取り込む。同様にして取り込んだ他の画像や他のキャラクターとともにページ上に配置し、アニメーション効果を付加して場面を作成する。さらにこうした場面を複数作成し、一連の物語や説明を構成する。さらに必要に応じて音楽やセリフ、ナレーション等音声を加える。こうして出来た電子紙芝居をプレゼンテーション用ソフトウェアを用いて上映する。これを課題解決の手段とした。【００１１】上記電子紙芝居の作成工程において、電子データ化した似顔絵キャラクター画像を作成する際の具体的な方法としては、実在のモデルをもとにして、筆記用具またはコンピュータの描画用ソフトウェアを用いて似顔絵を描く、もしくはモデルの写真に創作的加工を加えることによってキャラクター画像を作成することとした。【００１２】上記似顔絵キャラクター画像を作成する方法のうち、モデルの写真に創作的加工を加えてキャラクター画像を作成する際の具体的な方法としては、色や質感の変更、デフォルメ、頭身比率の変更、目鼻等顔パーツの変更、汗や涙など記号や絵の付加、などの方法を用いることとした。これは写真をそのまま使わず、加工して創作キャラクター化することを意味する。
【発明の効果】
【００１３】この発明により、従来のなれそめ説明等プライベート用実写ビデオの作成において表現上の制約となっていた事項、例えば現存資料内での被写体利用や、新郎新婦等被撮影者への物理的、時間的負担等を、似顔絵を代役とした創作画像を用いることで軽減、解消することができる。【００１４】それと同時に、実写ビデオでは表現できなかった創作的な表現が可能となり、自由で印象的かつ訴求力の高いコンテンツを作成することができる。これにより一生の記念として視聴者や新郎新婦の記憶に残るような、良質なコンテンツを作成することが期待できる。【００１５】さらに、絵を用いたアニメーション映像作成において、多数のコマ画像作成のために要した時間や労力、また高価な動画作成用ソフトウェアを購入し習得するための費用や時間的負担を軽減または解消することができる。これによって、結婚式の披露宴のなれそめビデオや自分史ビデオ等準備期間や予算の少ない用途向けにも、絵を用いたアニメーション映像を活用することが期待できる。【００１６】さらに、作成した電子紙芝居の表示上映時に、上映者が視聴者の反応などを見ながら、その場の判断でページ送りやプログラムイベント実行のタイミングを瞬時にかつ容易に調整することができる。【００１７】さらに、電子紙芝居の作成から上映までをプレゼンテーション用ソフトウェアを用いて行うことで、統一的かつ効率的に作業行うことができる。
【図面の簡単な説明】
【００１８】
【図１】この発明の、似顔絵作成から電子紙芝居表示上映の方法のステップの一例を示す図である。
【図２】この発明の、似顔絵作成から電子紙芝居表示上映までの作業工程の一例を示す図である。
【発明を実施するための形態】
【００１９】本発明は、似顔絵画像と、それを用いて電子紙芝居を作成し上映するためのプレゼンテーション用ソフトウェアを有し、それらを実行するための電子機器および表示装置を備えている。
【実施例】
【００２０】この発明の、似顔絵作成から電子紙芝居表示上映の方法のステップの一例を図１に示す。新郎新婦等モデルとなるキャラクターの似顔絵１を手書きもしくはコンピュータ上で作成し、静止画データ２として電子データ化した後、プレゼンテーション用ソフトウェア３を用いて他の画像と組み合わせ、各画像にディスプレイ上で動きを与え、電子紙芝居４を作成する。さらにそれを必要に応じて動作タイミングの調整等を行いながら、プロジェクター等表示装置５で上映する。
【産業上の利用可能性】
【００２１】本発明は、映像作成業者が、結婚式のなれそめビデオや自分史ビデオ等プライベート用説明記録映像を作る時に、安価かつ容易にアニメーション映像を作成し上映することに利用できる。【００２２】さらに本発明は、結婚式の似顔絵ウェルカムボード作成業者等が、似顔絵画像を流用して、容易になれそめ説明用電子紙芝居を作成し上映することに利用できる。
【符号の説明】
【００２３】１：似顔絵
２：静止画データ
３：プレゼンテーション用ソフトウェア
４：電子紙芝居
５：プロジェクター等表示装置
【図１】
2010182279.tif 000003
【図２】
2010182279.tif 000004